(57)【特許請求の範囲】
【請求項１】
２つの長辺と２つの短辺とを備えた略長方形の薄板状の底部と、
該底部の少なくとも一方の該長辺から立ち上がって該底部とで光ファイバ心線を巻回された状態で収容する略長方形の収容空間を形成する周壁部と、
他方の該長辺に一体的に形成されたヒンジ部と、
該ヒンジ部に連結され該ヒンジ部とともに揺動し該収容空間を開閉可能な蓋部と、
を具備し、型成形によって製造された光ファイバ心線接続部の収容ケースにおいて、
前記底部あるいは前記蓋部の少なくとも一方は、外部から前記収容空間の前記光ファイバ心線を操作できるように該収容空間に連通し、前記２つの短辺側にそれぞれ位置し、共同して該光ファイバ心線を操作できる少なくとも２つの操作用開口を備えることを特徴とする光ファイバ心線接続部の収容ケース。
【請求項２】
前記底部あるいは前記蓋部の少なくとも一方は、前記収容空間に収容された前記光ファイバ心線を定位置に保持する舌状保持部分をもつ請求項１記載の光ファイバ心線接続部の収容ケース。
【請求項３】
前記底部の前記周壁部と前記蓋部の揺動先端部分とは、いずれか一方に係止孔あるいは該係止孔に着脱可能な係止突起を備える請求項１記載の光ファイバ心線接続部の収容ケース。
【請求項４】
前記周壁部は、前記底部の２つの前記長辺の一方及び他方からそれぞれ高低差を有して立ち上がる第１長辺周壁部及び第２長辺周壁部と、前記底部の２つの前記短辺の一方及び他方からそれぞれ立ち上がる第１短辺側周壁部及び第２短辺側周壁部とで形成される請求項１記載の光ファイバ心線接続部の収容ケース。
【請求項５】
前記第１短辺側周壁部あるいは前記第２短辺側周壁部の少なくとも一方は、前記収容空間に連通し前記光ファイバ心線を該収容空間に出し入れ挿通する挿通口をもつ請求項４記載の光ファイバ心線接続部の収容ケース。
【請求項６】
前記第１短辺側周壁部と前記第１長辺周壁部とを連結する第１コーナ部及び前記第２短辺側周壁部と前記第２長辺周壁部とを連結する第２コーナ部は、円弧形状である請求項４記載の光ファイバ心線接続部の収容ケース。
【発明の詳細な説明】
【０００１】
【発明の属する技術分野】
本発明は、光通信回線に用いられる光ケーブルにおける光ファイバ心線接続部の収容ケースに関する。
【０００２】
【従来の技術】
従来、光ケーブルは、光通信回線の引き込み領域に設置された接続函内で配線処理する場合、例えば、光ケーブルから所定の接続余長分、剥きだされた光ファイバ心線の先端と、端末機器（あるいは他領域の光通信回線）に接続する光ファイバ心線の接続余長分の先端とを熱溶着して接続するとともに、接続領域を保護する手段〔収容ケース１Ｇ（図９参照）〕が用いられている。
【０００３】
この従来の収容ケース１Ｇは、ポリカーボネート製のシートであり、打ち抜き工程によりシートから図８に示される展開形状の原形１ｇに打ち抜き、折り曲げ工程により点線ｇで示す折り曲げ線から内側に向けて折り曲げることによって形成される。
【０００４】
収容ケース１Ｇは、略長方形の薄板状の底部２ｇと、底部２ｇの第１長辺２０ｇ、第２長辺２１ｇ、第１短辺２２ｇ、第２短辺２３ｇからそれぞれ立ち上がる周壁部３０ｇ、３１ｇ、３２ｇ、３３ｇと、周壁部３０ｇから底部２ｇに沿って伸びる蓋部５ｇと、３１ｇから底部２ｇに沿って伸びる長辺側舌状抑え部４１ｇと、周壁部３２ｇ及び３３ｇから底部２ｇに沿って伸びる短辺側舌状抑え部４２ｇ及び４３ｇと、底部２ｇから立ち上がる底部舌状抑え部４４ｇと、底部２ｇ及び蓋部５ｇに設けられ、互いにスリットｅにより連結された取り付け孔２５ｇ及び５２ｇとを備える。
【０００５】
また、長辺側舌状抑え部４１ｇの一部には、蓋部５ｇの先端５０ｇを差し込むためのスリット４１０ｇが形成されている。
【０００６】
【発明が解決しようとする課題】
（１）しかし、前記従来の収容ケース１Ｇは、前記シートから展開形状の原形１ｇに打ち抜き後、前記点線ｇを折り曲げ線として複数位置で底部２ｇの内側から折り曲げる必要があり、工数がかかること、および量産性が低い。
（２）また、展開形状の原形１ｇは、折り曲げることが可能な薄いシートであるため、折り曲げ後に収容空間（収容スペース）ＳＯを保持するには、周壁部３０ｇ、３１ｇ、３２ｇ、３３ｇの剛性が不足し、かつ収容空間ＳＯが変形しやすく、変形することにより収容空間ＳＯの容積が不足すること、および収容空間ＳＯへの光ファイバ心線８ａ、８ｂの収容時に、蓋部５ｇの先端５０ｇを底部２ｇのスリット４１０ｇに差し込む必要があり作業性が低い。前記スリット４１０ｇに差し込まれた蓋部５ｇの先端５０ｇは、剛性が低く柔軟であるため、スリット４１０ｇから外れやすく、蓋部５ｇの定位置での閉じ状態が得られにくい。
（３）さらに、剛性の低い収容ケース１Ｇが圧縮される方向に変形することによって、収容空間ＳＯに収容された光ファイバ心線８ａ、８ｂに対し、外部から底部２ａあるいは蓋部５ｇを介し不要な側圧が付与され光伝達機能を低下させることが考えられる。
【０００７】
本発明は、前記問題点に鑑みなされたもので、製造時に従来のように、作業員による折り曲げ工程を一切必要とせず、型成形により量産でき、蓋部の確実な開閉状態が得られ、さらに所定の剛性を備え収容空間に収容された光ファイバ心線に外部から不要な側圧が作用することを阻止できる光ファイバ心線接続部の収容ケースを提供することを課題とする。
【０００８】
【課題を解決するための手段】
本発明の光ファイバ心線接続部の収容ケースは、２つの長辺と２つの短辺とを備えた略長方形の薄板状の底部と、該底部の少なくとも一方の該長辺から立ち上がって該底部とで光ファイバ心線を巻回された状態で収容する略長方形の収容空間を形成する周壁部と、他方の該長辺に一体的に形成されたヒンジ部と、該ヒンジ部に連結され該ヒンジ部とともに揺動し該収容空間を開閉可能な蓋部と、を具備し、型成形によって製造された光ファイバ心線接続部の収容ケースにおいて、
前記底部あるいは前記蓋部の少なくとも一方は、外部から前記収容空間の前記光ファイバ心線を操作できるように該収容空間に連通し、前記２つの短辺側にそれぞれ位置し、共同して該光ファイバ心線を操作できる少なくとも２つの操作用開口を備えることを特徴とする。
【０００９】
本発明によると、型成形により前記従来のシート状の収容ケースに較べ、所定の剛性を備えた収容ケースとして量産できるため、製造時に前記従来の収容ケースのように、作業員による折り曲げ工程を一切必要とせず製造工程を大幅に短縮できる。
【００１０】
また、底部と一体的に連結されたヒンジ部とともに揺動する蓋部によって開閉される収容空間は、薄板状の底部とその各辺から立ち上がって前記従来の収容ケースとは異なり、所定の肉厚に形成された周壁部を備え、かつシートで形成する場合よりも、格段に剛性を高めており変形しにくく、所定の容積に保持できる。なお、底部、周壁部、蓋部の各肉厚は、目的とする値に種々設定可能である。
【００１１】
このため、収容空間に収容された光ファイバ心線に対し、外部から不要な側圧が作用することを阻止でき、光ファイバ心線の光伝達機能を低下させず、十分に発揮し得る。
【００１２】
さらに、本発明の収容ケースは、底部、周壁部、蓋部が剛性を備えているため、蓋部がヒンジ部とともに揺動し収容空間を確実に開閉することができ、その作業性を前記従来の収容ケースの場合よりも向上し得る。
また、底部あるいは蓋部の少なくとも一方は、外部から収容空間の光ファイバ心線を操作できるように収容空間に連通し、２つの短辺側にそれぞれ位置し、共同して該光ファイバ心線を操作できる少なくとも２つの操作用開口を備えるため、外部から光ファイバ心線の位置を操作できる。
【００１３】
【発明の実施の形態】
本発明の収容ケースは、合成樹脂材を用いて型成形によって製造される。前記合成樹脂材としては、例えば、ポリスチレン、ポリプロピレン、ポリアセタール、ポリエチレン、などを用いることができる。
【００１４】
前記底部及び前記蓋部は、少なくとも一方が半透明あるいは透明であるものを用いることができる。
【００１５】
この場合には、収容空間に収容した後の光ファイバ心線接続部の収容状態を収容ケースの外部から視認でき、目的とする収容状態に保守点検が可能である。
【００１６】
また、透明材料に着色材を混入したものや、不透明材料を混入することによって、半透明とすることができる。
【００１７】
前記底部あるいは前記蓋部の少なくとも一方は、外部から前記収容空間の前記光ファイバ心線を操作できるように前記収容空間に連通する操作用開口を備えることができる。
【００１８】
この場合には、例えば複数本の光ファイバ心線が束ねられて収容、配置されている場合などに、それらが絡まないように所定の位置に配置する作業を、収容ケースの外部から底部あるいは蓋部に形成された操作用開口からなし得る。また、この場合に、前記底部及び前記蓋部の少なくとも一方が半透明あるいは透明であると、その操作が一層しやすい。操作用開口の形状及び数は、目的に応じて種々設定することができる。操作用開口の大きさは、作業員の指が２本入るものであると、複数本の光ファイバ心線の操作がしやすい。
【００１９】
前記底部あるいは前記蓋部の少なくとも一方は、前記収容空間に収容された前記光ファイバ心線を定位置に保持する舌状保持部分をもつものを用いることができる。
【００２０】
この場合には、前記収容空間に収容される前記光ファイバ心線を所定位置に弾性的に保持することに役立つ。舌状保持部分の形状及び数は、目的に応じて種々設定することができる。
【００２１】
前記底部の前記周壁部と前記蓋部の揺動先端部分とは、いずれか一方に係止孔あるいは係止孔に着脱可能な係止突起を備えることができる。
【００２２】
この場合には、収容空間に光ファイバ心線を所定位置に保持した後、係止孔に係止突起を係止して蓋部による前記収容空間の閉状態を保持した状態を継続できる。また、係止突起を係止孔から離脱して蓋部を開き収容空間を開口状態とすることができる。
【００２３】
さらに、係止突起と係止孔は、それぞれ薄板状で剛性を備えた周壁部および蓋部に形成されているため、定位置で着脱操作を素早く行うことができ、かつ前記従来のシート状の蓋部の先端を、シート状の底部に形成したスリットに差し込む場合（柔軟で不安定な差し込み位置）における着脱操作する場合に較べ、作業性を向上し得る。
【００２４】
前記周壁部は、前記底部の２つの前記長辺の一方及び他方からそれぞれ高低差を有して立ち上がる第１長辺周壁部及び第２長辺周壁部と、前記底部の２つの前記短辺の一方及び他方からそれぞれ立ち上がる第１短辺側周壁部及び第２短辺側周壁部とで形成することができる。
【００２５】
この場合には、収容空間の底部からの内部高さが、蓋部をヒンジ部とともに揺動する揺動中心側が低く、蓋部の揺動先端側が高くなる勾配ができ、光ファイバ心線同士の接続部分に挿通された保護チューブにより外径が太くなった領域を、内部高さの高い位置に集中（光ファイバ心線同士の接続部分を多数収容）する場合に都合がよい。
【００２６】
前記高低差を形成する角度は、３°〜５°とすることができる。この角度は、収容ケースを円周方向３６０°に配列した状態で配置する場合の個数に対応して種々設定することができる。
【００２７】
前記第１短辺側周壁部あるいは前記第２短辺側周壁部の少なくとも一方は、前記収容空間に連通し前記光ファイバ心線を収容空間に出し入れ挿通する挿通口をもつことができる。
【００２８】
この場合には、収容空間に収容した光ファイバ心線を挿通口を介して所定の領域に配線することができる。
【００２９】
前記第１短辺側周壁部と前記第１長辺周壁部とを連結する第１コーナ部及び前記第２短辺側周壁部と前記第２長辺周壁部とを連結する第２コーナ部は、円弧形状であることができる。
【００３０】
この場合には、収容空間に収容した光ファイバ心線を第１コーナ部及び第２コーナ部の円弧形状によって屈折させることなく案内することができるので光ファイバ心線を傷めることがない。
【００３１】
前記底部、前記蓋部、前記周壁部の厚さは、例えば一定の値としたり、前記周壁部のみ厚くしたりすることができる。
【００３２】
前記底部及び前記蓋部の厚さとしては、０．１ｍｍ〜１．０ｍｍとすることができ、好ましい厚さとしては、０．３ｍｍ〜０．６ｍｍである。
【００３３】
前記周壁部の厚さとしては、０．１ｍｍ〜１．０ｍｍとすることができ、好ましい厚さとしては、０．３ｍｍ〜０．６ｍｍである。
【００３４】
【実施例】
（実施例）
本発明の光ファイバ心線接続部の収容ケース（以下、収容ケースと称する）の実施例を図１〜図３に基づき図略の光ケーブルの引き込み領域に設置された接続函内に設置し利用する場合に適用して説明する。
【００３５】
図１に示す実施例の収容ケース１は、成形材料としてポリプロピレンを用い図略の成形型により型成形された透明体である。
【００３６】
収容ケース１は、２つの長辺（第１長辺２０及び第２長辺２１）と２つの短辺（第１短辺２２及び第２短辺２３）とを備えた略長方形の薄板状の底部２と、底部２の周辺に形成された周壁部３と、周壁部３の一部に一体的に形成されたヒンジ部４と、ヒンジ部４に一体的に形成された蓋部５と、よりなる。
【００３７】
収容ケース１の収容空間Ｓには、光ファイバ心線８ａ、８ｂの保護チューブ８ｃに保護された接続部Ｋ領域及びその両側の余長さ８１ａ、８１ｂ領域が収容される。
【００３８】
底部２は、厚さが０．５ｍｍであり、第１長辺２０の両側には、取り付け孔２００、２００が形成されている。取り付け孔２００、２００は、収容空間Ｓに光ファイバ心線８ａ、８ｂを図略の光通信回線の引き込み領域に設置された接続函内に予め設置された上下垂直位置に水平に保持された２つのリングに着脱可能に係合する係合部を形成する。取り付け孔２００、２００は、円形であり、底部２の第１長辺２０及び第２長辺２１が垂直となる収容ケース１位置で、水平移動して前記上下垂直位置の２つのリングに装着しやすいように略ハの字状の開口２０１が形成されている。取り付け孔２００、２００に、略ハの字状の開口２０１が形成されていることによって、収容ケース１を素早く、前記２つのリングに装着、懸垂できる。
【００３９】
さらに、底部２の第１短辺側周壁部３２に近い位置及び第２短辺側周壁部３３に近い位置には、外部から光ファイバ心線８ａ、８ｂの位置を操作できるように作業者の２本の指が同時に入る大きさの操作用開口２ａ、２ａが設けられている。
【００４０】
周壁部３は、底部２の第１長辺２０及び第２長辺２１からそれぞれ高低差を有して立ち上がる第１長辺側低周壁部３０及び第２長辺側高周壁部３１と、底部２の第１短辺２２及び第２短辺２３からそれぞれ前記高低差分、頂辺が水平位置より傾斜する略台形状で立ち上がる第１短辺側周壁部３２及び第２短辺側周壁部３３とよりなる。
【００４１】
第１長辺側低周壁部３０は、厚さが１．０ｍｍ、底部２からの高さが２ｍｍであり、底部２に沿って伸びる第１長辺側舌状抑え部４０が連接されている。
【００４２】
第２長辺側高周壁部３１は、厚さが１．０ｍｍ、底部２からの高さが８ｍｍであり、頂辺より水平に外部に突出する突起３１０が形成されている。この突起３１０は、後記する蓋部５のヒンジ部４を揺動中心として揺動する揺動先端部分５０側に形成された係止孔５１を着脱可能に係止する機能をもつ。
【００４３】
第１短辺側周壁部３２及び第２短辺側周壁部３３は、厚さが１．０ｍｍである。第１短辺側周壁部３２及び第２短辺側周壁部３３が形成する前記高低差の角度θは、４．７°である。
【００４４】
第１短辺側周壁部３２及び第２短辺側周壁部３３には、収容空間Ｓに連通し前記光ファイバ心線８ａ、８ｂを収容空間Ｓに出し入れ挿通する挿通口３２０、３２１及び３３０、３３１が形成されている。
【００４５】
また、第１短辺側周壁部３２と第１長辺側周壁部３０とを連結する第１コーナ部Ｓ１及び第２短辺側周壁部３３と第２長辺側周壁部３１とを連結する第２コーナ部Ｓ２は、円弧形状に形成されている。
【００４６】
ヒンジ部４は、第１長辺側低周壁部３０と蓋部５との境界領域に形成されている。
【００４７】
蓋部５は、厚さが０．５ｍｍであり、ヒンジ部４を揺動中心として揺動する揺動先端部分５０側には、着脱可能な係止孔５１が設けられている。蓋部５は、前記底部２、周壁部３とともに剛性を備えた厚さに形成され、柔軟（フレキシブル）なヒンジ部４によって、素早く、確実に収容空間Ｓを開閉することができる。また、前記係止孔５１は、第２長辺側高周壁部３１の突起３１０に確実に係合し、蓋部５で収容空間Ｓを閉じた状態にロックできる。また人為操作によって強制的に前記係合を解除することによって蓋部５を収容空間Ｓの開き方向に揺動可能とすることができ、かつ作業性を向上し得る。
【００４８】
前記のように構成された実施例の収容ケース１は、その使用に際し、図１に示されるようヒンジ部４を揺動中心として蓋部５を底部２から揺動して収容空間Ｓを開く。
【００４９】
ついで、互いに接続対象とする光ファイバ心線８ａ、８ｂは、第１短辺側周壁部３２の挿通口３２０、３２１及び第２短辺側周壁部３３の挿通口３３０、３３１のいずれか２つを用いて収容空間Ｓに挿通される（図２及び図３参照）。
【００５０】
例えば、図２に示されるように、光ファイバ心線８ａを挿通口３３０から収容空間Ｓに挿通し、光ファイバ心線８ｂを挿通口３２０から収容空間Ｓに挿通したり、図４に示されるように、挿通口３２１及び３２０や、挿通口３２１及び３３１や、挿通口３３０及び３３１や、挿通口３２０及び３３１や、挿通口３２１及び３３０などを用いることができる。
【００５１】
そして収容空間Ｓに収容対象とする一方の光ファイバ心線８ａの接続余長８０ａの先端面８１ａと、他方の光ファイバ心線８ｂの接続余長８０ｂの先端面８１ｂとを熱溶着して連結した後、予め光ファイバ心線８ａ、８ｂに挿通した保護チューブ８ｃを接続部Ｋに移動し、かつ接続部Ｋを被覆する。接続後の光ファイバ心線８ａ、８ｂは、円弧形状の第１コーナ部Ｓ１及び第２コーナ部Ｓ２に案内された状態で接続余長８０ａ、８０ｂ領域を巻回する。
【００５２】
なお、この場合には、収容空間Ｓに収容された複数本の光ファイバ心線８ａ、８ｂは、それぞれ所定位置に配置されるとともに、第１長辺側舌状抑え部４０によって、底部２側に弾性的に係合、保持する。このとき、複数本の光ファイバ心線８ａ、８ｂは、接続部分Ｋに挿通された保護チューブ８ｃによって外径が拡大するが、高低差分、頂辺が水平位置より傾斜する略台形状の最も空間高さが高い、第２長辺側周壁部３１寄りに配置できるため、無理に詰め込まれることなく、余裕をもって収容でき、かつ側圧を付与されない。
【００５３】
ついで、ヒンジ部４を揺動中心として蓋部５を閉じ方向に揺動し、かつ収容空間Ｓを閉じるとともに、蓋部５の揺動先端部分５０の係止孔５１を第２長辺側高周壁部３１の突起３１０に嵌挿することによって、蓋部５による収容空間Ｓの閉じ状態が確実に保持される。
【００５４】
また、収容ケース１は、透明体であるため、収容空間Ｓに収容された光ファイバ心線８ａの接続余長８０ａ及び光ファイバ心線８ｂの接続余長８０ｂが束ねられた収容状態を外部から視認でき、かつ前記収容状態が悪い場合（配置が何れかに偏ったり、巻回径が小さなものや、バランスが悪い場合など）には底部２の操作用開口２ａ、２ａから作業者の２本の指を同時に入れ、視認しながら収容状態を矯正することができる。
【００５５】
この状態の収容ケース１は、図略の光通信回線の引き込み領域に設置された接続函内で上下垂直に水平位置に保持された図略の２つのリングに対し、底部２の第１長辺２０及び第２長辺２１が垂直となる位置で水平移動し、底部２の取り付け孔２００、２００を前記リングに装着しかつ懸垂される。
【００５６】
この場合、前記２つのリングに懸垂される収容ケース１は、前記底部２の第１長辺２０を内径側に対向し、第２長辺２１（前記高低差を有す断面略台形の最も容積の広い側）を外径側に対向して円周方向におよそ７５個がほぼ隙間のない状態に配置されるため、接続函内の限られた貴重なスペースを有効に利用できる。
【００５７】
さらに、前記懸垂作業時には、円弧形状の第１コーナ部Ｓ１及び第２コーナ部Ｓ２の外周部側も円弧形状となっているため、外周が角張らず、他の部材や、作業者などに傷をつけることがない。
【００５８】
また、光ファイバ心線８ａ、８ｂの接続部Ｋ領域及び余長さ８０ａ、８０ｂ領域を含めて、側圧が作用しないように、収容ケース１に保護された状態で配線されるため、側圧が付与され光伝達機能が低下する現象を回避できる。
【００５９】
前記収容ケース１は、型成形により多量生産でき、製造時に前記従来の収容ケース１Ｇ（図８、図９参照）のように、作業員による折り曲げ工程を一切必要とせず工数を低減でき、さらに所定の剛性を備え、光ファイバ心線８ａ、８ｂの接続部Ｋ領域及びその両側の余長さ８１ａ、８１ｂ領域を確実に保護でき、かつ光伝達機能を正常に保ことができるとともに、作業員による作業時に必要以上に神経を煩わすことなく、作業性を向上できる。
【００６０】
（変形例１）
図４、図５に示す変形例１の収容ケース１Ａは、円弧状案内面３２２をもつ第１短辺側周壁部３２ａ及び円弧状案内面３３２をもつ第２短辺側周壁部３３ａを用いたこと以外は、実施例の収容ケース１同じである。従って、実施例と同じ構成には同じ符号を付け、その説明を省略する。
【００６１】
変形例１の収容ケース１Ａの場合には、実施例の収容ケース１の前記効果が得られる他、収容空間Ｓに収容され巻回された光ファイバ心線８ａ、８ｂは、第１短辺側周壁部３２ａの円弧状案内面３２２及び第２短辺側周壁部３３ａの円弧状案内面３３２に沿って巻回領域を案内することができる。
【００６２】
（変形例２）
図６、図７に示す変形例２の収容ケース１Ｂは、底部２に沿って伸びる第２長辺側舌状抑え部４１をもつ第２長辺側高周壁部３１ｂを用いたこと以外は、変形例１の収容ケース１Ａ同じである。従って、変形例１と同じ構成には同じ符号を付け、その説明を省略する。
【００６３】
変形例２の収容ケース１Ｂの場合には、変形例１の収容ケース１Ａの前記効果が得られる他、収容空間Ｓに収容された光ファイバ心線８ａ、８ｂは、第１長辺側低周壁部３０寄りで第１長辺側舌状抑え部４０に弾性的に保持されるとともに、２長辺側高周壁部３１ｂ寄りで第２長辺側舌状抑え部４１に弾性的に保持され、定位置に保持する機能を高めることができる。
【００６４】
【発明の効果】
本発明の光ファイバ心線接続部の収容ケースは、２つの長辺と２つの短辺とを備えた略長方形の薄板状の底部と、該底部の少なくとも一方の該長辺から立ち上がって該底部とで巻回された光ファイバ心線を巻回された状態で収容する略長方形の収容空間を形成する周壁部と、他方の該長辺に一体的に形成されたヒンジ部と、該ヒンジ部に連結され該ヒンジ部とともに揺動し該収容空間を開閉可能な蓋部と、を具備し、型成形によって製造された光ファイバ心線接続部の収容ケースにおいて、前記底部あるいは前記蓋部の少なくとも一方は、外部から前記収容空間の前記光ファイバ心線を操作できるように該収容空間に連通し、前記２つの短辺側にそれぞれ位置し、共同して該光ファイバ心線を操作できる少なくとも２つの操作用開口を備えることを特徴とする。
【００６５】
このため、本発明の収容ケースは、型成形により製造できるため、前記従来の収容ケースの場合のように、打ち抜き工程によりシートからシートから展開形状の原形に打ち抜き、折り曲げ工程により折り曲げ線から折り曲げる方式のものに較べ、工数を低減できるとともに、短時間の内に多量生産することができ、大幅に製造効率を高めることができる。
【００６６】
さらに、本発明の収容ケースは、底部、周壁部、蓋部が剛性を備えているため、蓋部がヒンジ部とともに揺動し収容空間を確実に開閉することができ、その作業性を前記従来の収容ケースの場合よりも向上し得る。
【００６７】
さらに、本発明の収容ケースによれば、所定の剛性を備え収容空間に収容された光ファイバ心線に外部から不要な側圧が作用することを阻止できる。
【００６８】
すなわち、この収容ケースには、蓋部を開けて収容空間に、一方の光ファイバ心線の先端面と、他方の光ファイバ心線の先端面とを接続した接続部及び前記接続部を形成するために必要とする、予め、一方の光ファイバ心線及び他方の光ファイバ心線に設定された余長分の領域を含めて収容した後、蓋部を閉じることによって収容空間に光ファイバ心線の接続部及余長分の領域を保護することができる。
【００６９】
このため、収容ケースは、光ファイバ心線に外部から不要な側圧が付与されることによる光伝達機能の低下をきたさないように保持する機能が得られる。
また、底部あるいは蓋部の少なくとも一方は、外部から収容空間の光ファイバ心線を操作できるように収容空間に連通し、２つの短辺側にそれぞれ位置し、共同して該光ファイバ心線を操作できる少なくとも２つの操作用開口を備えるため、外部から光ファイバ心線の位置を操作できる。
【００７０】
これによって、光ファイバ心線の接続部及余長分の領域付近での作業環境下での作業を安心して施すことができ、作業性を向上できる。
【図面の簡単な説明】
【図１】実施例の収容ケースを蓋部が開いた状態で示す斜視図。
【図２】実施例の収容ケースにおける蓋部が閉じ、収容空間に光ファイバ心線の接続部及余長分が収容、保護された状態を示す平面図。
【図３】実施例の使用例で収容ケースおける蓋部が閉じ、収容空間に光ファイバ心線の接続部及余長分が収容、保護された状態を示す平面図。
【図４】変形例１の収容ケースを蓋部が開いた状態で示す斜視図。
【図５】変形例１の収容ケースにおける蓋部が閉じ、収容空間に光ファイバ心線の接続部及余長分が収容、保護された状態を示す平面図。
【図６】変形例２の収容ケースを蓋部が開いた状態で示す斜視図。
【図７】変形例２の収容ケースにおける蓋部が閉じ、収容空間に光ファイバ心線の接続部及余長分が収容、保護された状態を示す平面図。
【図８】従来の収容ケースを展開した状態を示す平面図。
【図９】従来の収容ケースに光ファイバ心線の接続部及余長分を収容した状態を示す収め平面図。
【符号の説明】
１、１Ａ、１Ｂ…収容ケース
２…底部
２０…第１長辺  ２１…第２長辺  ２２…第１短辺  ２２…第１短辺
２３…第２短辺  ２００、２０１…取り付け孔  ２ａ、２ａ…操作用開口
３…周壁部
３０…第１長辺側低周壁部    ３１…第２長辺側高周壁部
３２…第１短辺側周壁部      ３３…第２短辺側周壁部
４…ヒンジ部
４０…第１長辺側舌状抑え部  ４１…第２長辺側舌状抑え部
５…蓋部
８ａ、８ｂ…光ファイバ心線  ８ｃ…保護チューブ
【図１】
0003730460.tif 000002
【図２】
0003730460.tif 000003
【図３】
0003730460.tif 000004
【図４】
0003730460.tif 000005
【図５】
0003730460.tif 000006
【図６】
0003730460.tif 000007
【図７】
0003730460.tif 000008
【図８】
0003730460.tif 000009
【図９】
0003730460.tif 000010